(57)【要約】【課題】取り扱いが簡便で、安全であり、しかも安価に提供できる簡易暖房装置を提供するものである。【解決手段】前方を開放した中空の角錐形状からなる断熱性ケーシング１内の中心部に円柱状遠赤外線ヒーター２を取り付け、同じくケーシング１内に該円柱状遠赤外線ヒーター２の熱線を反射する反射ミラー３を設け、該ケーシング１の両側壁上部に取り付け棒挿通用の空処５を形成してあり、デスク７の天板下面に横方向に取り付ける取り付け棒８を上記取り付け棒挿通用の空処５に挿通することによりデスク天板下に取り付けるようにしてある。【選択図】      図４
2004198032.tif 000002
【特許請求の範囲】
【請求項１】
前方を開放した中空の角錐形状からなる断熱性ケーシング内の中心部に円柱状遠赤外線ヒーターを取り付け、同じくケーシング内に該円柱状遠赤外線ヒーターの熱線を反射する反射ミラーを設け、該ケーシングの両側壁上部に取り付け棒挿通用の空処を形成してあり、デスクの天板下面に横方向に取り付ける取り付け棒を上記取り付け棒挿通用の空処に挿通することによりデスク天板下に取り付けるようにしてある簡易暖房装置。
【請求項２】
上記角錐形状からなる断熱性ケーシングを木材又は断熱処理した金属により形成し、ケーシング前方に木材製保護枠又は断熱処理した金属製保護枠を固定してある上記請求項１に記載の簡易暖房装置。
【請求項３】
上記反射ミラーが金属製反射ミラーである上記請求項１又は２に記載の簡易暖房装置。
【請求項４】
上記反射ミラーが円錐状、半円状、放物線状、角錐状の何れかである上記請求項１乃至３の何れかに記載の簡易暖房装置。
【請求項５】
上記角錐形状からなる断熱性ケーシングの側壁に放熱窓を形成してある上記請求項１乃至４の何れかに記載の簡易暖房装置。
【発明の詳細な説明】
【０００１】
【発明の属する技術分野】
本発明は、例えば一般事務員、パソコンオペレーター等のようなデスクワーカーのために、デスクの天板の下部空間に取り付けて、デスクワーカーの膝元、足元を暖める簡易暖房装置に関する。
【０００２】
【従来の技術】
オフィス内の冷暖房の多くは室内全体の温度を一括管理する方式を採用している。そのため、部分的には最良の作業環境（適切な温度）維持が困難である。例えば、長時間同一の姿勢をとりながら作業をする事務員、パソコンオペレーターにとっては床面に近い膝元温度が不適切だと作業能率の低下を招くことがある。このため、デスクの脚収容空間の上方に取り付けて、デスクワーカーの足首から膝にかけた部分に赤外線を放射する足元暖房装置が知られている。（例えば、特許文献１参照）。
【０００３】
【特許文献１】
特開２００１−４１５８８号公報
【０００４】
【発明が解決しようとする課題】
上記公知の足元暖房装置は、デスクワーカーの足元から膝にかけて暖房し、デスクワーカーのために大変有効である。そしてこれら足元暖房装置に関して、より取り扱いが簡便で、安全であり、しかも安価に提供される簡易暖房装置が望まれているという課題がある。
そこで本発明は、取り扱いが簡便で、安全であり、しかも安価に提供できる簡易暖房装置を提供するものである。
【０００５】
【課題を解決する為の手段】
そのために、本発明簡易暖房装置は、前方を開放した中空の角錐形状からなる断熱性ケーシング内の中心部に円柱状遠赤外線ヒーターを取り付け、同じくケーシング内に該円柱状遠赤外線ヒーターの熱線を反射する反射ミラーを設け、該ケーシングの両側壁上部に取り付け棒挿通用の空処を形成してあり、デスクの天板下面に横方向に取り付ける取り付け棒を上記取り付け棒挿通用の空処に挿通することによりデスク天板下に取り付けるようにしてある簡易暖房装置を提供するものである。
本発明によれば、角錐形状からなる断熱性ケーシングの両側壁上部に取り付け棒挿通用の空処を形成してあり、デスクの天板下面に横方向に取り付ける取り付け棒を上記取り付け棒挿通用の空処に挿通することによりデスク天板下に取り付けるようにしてあるから、そのデスクへの取り付け取り外しが容易であり、しかも、断熱性ケーシングが角錐形状であるから、デスクの天板下面に取り付けられただけで、デスクワーカーの膝元に熱線を照射する適当な角度に取り付けられ、この取り付け状態で遠赤外線ヒーターの熱線によりデスクワーカーの膝元が暖房され、反射ミラーによって省電力により高い暖房効果が得られ、しかも安価に提供できる。
【０００６】
また、本発明は、上記角錐形状からなる断熱性ケーシングを木材又は断熱処理した金属により形成し、ケーシング前方に木材製保護枠又は断熱処理した金属製保護枠を固定してある上記請求項１に記載の簡易暖房装置を提供する。
本発明によれば、断熱性ケーシングを木材又は断熱処理した金属により形成し、ケーシング前方に木材製保護枠又は断熱処理した金属製保護枠を固定してあり、これによってデスクワーカーに対して高い安全性を確保することができる。
【０００７】
さらに、本発明は、上記反射ミラーが金属製反射ミラーである上記請求項１又は２に記載の簡易暖房装置を提供するものである。
本発明によれば、金属製反射ミラーにしてあるから、遠赤外線ヒーターの熱線の反射を効率よくし、省電力により高い暖房効果が得られる。
同じく、本発明は、上記反射ミラーが円錐状、半円状、放物線状、角錐状の何れかである上記請求項１乃至３の何れかに記載の簡易暖房装置を提供するものである。
本発明によれば、反射ミラーが円錐状、半円状、放物線状、角錐状の何れかであるから、遠赤外線ヒーターの直進性を高め、より効率のよい暖房効果が得られる。
また、本発明は、上記角錐形状からなる断熱性ケーシングの側壁に放熱窓を形成してある上記請求項１乃至４の何れかに記載の簡易暖房装置を提供するものである。
本発明によれば、上記角錐形状からなる断熱性ケーシングの側壁に放熱窓を形成してあるから、遠赤外線ヒーターの過熱を放出し、安全性を高めることができる。
【０００８】
【発明の実施の形態】
以下図面に示した好ましい実施例により本発明の詳細を説明する。図示した実施例は、断熱性ケーシング１を前方を開放した中空の四角錐形状からなるケーシングとしてあるが、この角錐形状は五角錐でも、六角錐でもよい。この断熱性ケーシング１は断熱性とするために、木材又は断熱処理した金属により形成してあるが、図示した実施例は木材製にしてあり、デスクワーカーの安全性のために火傷防止とともに廃棄後の廃棄物として地球環境に優しいものとしてある。
【０００９】
上記断熱性ケーシング１内の中心部に、円柱状遠赤外線ヒーター２を取り付けてあり、この遠赤外線ヒーター２は１００Ｖ、２５０Ｗの電力を使用するようにしてある。そして遠赤外線ヒーターは約φ５０×８０ｍｍの寸法のものが好ましい。
同じく、断熱性ケーシング１内には該遠赤外線ヒーター２の熱線を反射する反射ミラー３を設けてあり、この反射ミラー３はその中心が遠赤外線ヒーター２となる略円錐状の形状としてある。この反射ミラーとしてはその外形が約φ１８０の円錐状反射ミラーが使用され、遠赤外線ヒーター２から放射される熱線をほぼ直進するようにして省電力で効率を高めるようにしてある。また、この反射ミラー３は金属製反射ミラーであり、その形状は円錐状に限らず、半円状、放物線状又は角錐状の何れでもよい。
【００１０】
さらに、前方を開放した上記角錐形状からなる断熱性ケーシング１の前方には木材製の保護枠４又は断熱処理した金属製の保護枠４を固定してあり、デスクワーカーの膝が遠赤外線ヒーター２に直接当るようなことなく、デスクワーカーの火傷を防止し、安全性を高めている。この保護枠４も木材製が望ましい。
さらに、中空の角錐形状からなる断熱性ケーシング１の両側壁上部には、机又はパソコンデスク７の天板直下に着脱自在に横方向に取り付ける取り付け棒８を挿通する空処９を形成してある。この空処９は、上記両側壁に形成した放熱窓６で代用してもよい。この他図中９は上記取り付け棒８をパソコンデスク７の天板下に取り付ける取付治具である。
【００１１】
上記の通りの本発明簡易暖房装置であれば、これをデスクの天板下に横方向に取り付ける取り付け棒８を断熱性ケーシング１の両側壁上部に形成した空処５に挿通することにより、断熱性ケーシング１の上壁がデスク７の天板下に当接して安定して取り付けられる。この取り付け状態で、本発明簡易暖房装置は、その断熱性ケーシング１が角錐形状をしているから、その中心の遠赤外線ヒーター２は自然に斜め前方に指向し、デスクワーカーの膝元、足元を効率よく暖房することができる。また、遠赤外線ヒーター２の熱線は反射ミラー３によって直線状に照射され、省電力により効率的に暖房することができる。
【００１２】
【発明の効果】
本発明簡易暖房装置は、前方を開放した中空の角錐形状からなる断熱性ケーシング内の中心部に円柱状遠赤外線ヒーターを取り付け、同じくケーシング内に該円柱状遠赤外線ヒーターの熱線を反射する反射ミラーを設け、該ケーシングの両側壁上部に取り付け棒挿通用の空処を形成してあり、デスクの天板下面に横方向に取り付ける取り付け棒を上記取り付け棒挿通用の空処に挿通することによりデスク天板下に取り付けるようにしてあるから、そのデスクへの取り付け取り外しが容易であり、しかも、断熱性ケーシングが角錐形状であるから、デスクの天板下面に取り付けられただけで、デスクワーカーの膝元に熱線を照射する適当な角度に取り付けられ、この取り付け状態で遠赤外線ヒーターの熱線によりデスクワーカーの膝元が暖房され、反射ミラーによって省電力により高い暖房効果が得られ、しかも安価に提供できる効果がある。
【００１３】
また、本発明は、上記角錐形状からなる断熱性ケーシングを木材又は断熱処理した金属により形成し、ケーシング前方に木材製保護枠又は断熱処理した金属製保護枠を固定してあるから、デスクワーカーに対して高い安全性を確保することができる効果がある。
【００１４】
さらに、本発明は、上記反射ミラーが金属製反射ミラーであるから、遠赤外線ヒーターの熱線の反射を効率よくし、省電力により高い暖房効果が得られる効果がある。
同じく、本発明は、上記反射ミラーが円錐状、半円状、放物線状、角錐状の何れかであるから、遠赤外線ヒーターの直進性を高め、より効率のよい暖房効果が得られる効果がある。
また、本発明は、上記角錐形状からなる断熱性ケーシングの側壁に放熱窓を形成してあるから、遠赤外線ヒーターの過熱を放出し、安全性を高めることができる効果がある。
【図面の簡単な説明】
【図１】本発明簡易暖房装置の好ましい実施例の正面図。
【図２】同じくその一部切欠平面図。
【図３】同じくその側面図。
【図４】同じくその中央線切断側面図。
【図５】本発明簡易暖房装置をパソコンデスクに取り付けた状態の正面図。
【図６】同じくその側面図。
【符号の説明】
１  断熱性ケーシング
２  円柱状遠赤外線ヒーター
３  反射ミラー
４  保護枠
５  空処
６  放熱窓
７  パソコンデスク
８  取り付け棒
９  取付治具
【図１】
2004198032.tif 000003
【図２】
2004198032.tif 000004
【図３】
2004198032.tif 000005
【図４】
2004198032.tif 000006
【図５】
2004198032.tif 000007
【図６】
2004198032.tif 000008